(57)【要約】【課題】連写モードにおいて画像データが生成される毎に、生成された画像データを液晶モニタ１５０に表示させることで、使い勝手を向上させる。【解決手段】交換レンズ２００で形成された被写体像を撮像して画像データを生成するＣＭＯＳセンサ１３０と、生成された画像データを表示する液晶モニタ１５０と、生成された画像データをリアルタイムで動画像として液晶モニタ１５０に表示するよう制御するライブビューモードと、単一の撮像操作で複数の画像データを生成する連写モードと、を有するマイコン１１０と、を備え、マイコン１１０は、ライブビューモード時には、連写モードによって画像データが生成される毎に、生成された画像データを液晶モニタ１５０に表示するよう制御する。【選択図】図１
2008028997.tif 000002
【特許請求の範囲】
【請求項１】
被写体像を光学式ビューファインダへと導くために撮像光学系の光路内に対して進退自在に配設される可動ミラーを有するデジタルカメラであって、
前記可動ミラーが前記撮像光学系の光路内から退避したときに前記撮像光学系で形成された被写体像を撮像して画像データを生成する撮像素子と、
前記生成された画像データ又はその画像データに所定の処理を施した画像データを表示する表示部と、
前記生成された画像データ又はその画像データに所定の処理を施した画像データをリアルタイムで動画像として表示部に表示するよう制御するライブビューモードと、単一の撮像操作で複数の画像データを生成する連写モードと、を有する制御部と、を備え、
前記制御部は、
ライブビューモード時には、連写モードによって画像データが生成される毎に、前記生成された画像データ又はその画像データに所定の処理を施した画像データを前記表示部に表示するよう制御する、
デジタルカメラ。
【請求項２】
撮像後に、生成された画像データ又はその画像データに所定の処理を施した画像データを表示するか否かを切り替えるレビュー切替部をさらに有し、
前記制御部は、
前記レビュー切替部の設定に関わらず、ライブビューモード時には、連写モードによって画像データが生成される毎に、前記生成された画像データ又はその画像データに所定の処理を施した画像データを前記表示部に表示するよう制御する、請求項１に記載のデジタルカメラ。
【請求項３】
前記制御部は、
ライブビューモード時には、連写モードによって画像データが生成される期間中、前記可動ミラーを前記撮像光学系の光路内から退避させるよう制御する、請求項１に記載のデジタルカメラ。
【請求項４】
前記制御部は、
ライブビューモード時には、連写モードによって画像データが生成される前毎に、前記可動ミラーを前記撮像光学系の光路内に進入させて、前記撮像光学系に対してオートフォーカス動作をするよう制御する、請求項１に記載のデジタルカメラ。
【請求項５】
光学式ビューファインダの使用とライブビューモードの使用とを切り替えるビューファインダ切替部をさらに有し、
前記制御部は、
前記ビューファインダ切替部が光学式ビューファインダの使用に設定されているときは、連写モードによって画像データが生成されても、前記生成された画像データ又はその画像データに所定の処理を施した画像データを前記表示部に表示しないよう制御する、請求項１に記載のデジタルカメラ。
【請求項６】
光学式ビューファインダの使用とライブビューモードの使用とを切り替えるビューファインダ切替部をさらに有し、
前記制御部は、
前記ビューファインダ切替部が光学式ビューファインダの使用に設定されているときは、連写モードによって最後の画像データが生成されると、前記最後に生成された画像データ又はその画像データに所定の処理を施した画像データを前記表示部に表示し、
前記ビューファインダ切替部がライブビューモードの使用に設定されているときは、連写モードによって画像データが生成される毎に、前記生成された画像データ又はその画像データに所定の処理を施した画像データを前記表示部に表示するよう制御する、
請求項１に記載のデジタルカメラ。
【発明の詳細な説明】
【技術分野】
【０００１】
本発明は、デジタルカメラに関し、特に、可動ミラーを含むとともに被写体像を電子ビューファインダで観察できるデジタルカメラに関する。
【背景技術】
【０００２】
デジタル一眼レフカメラは、電子ビューファインダと光学式ビューファインダとを備えるものが多い。撮像光学系により形成された被写体像は、光路内に配設された可動ミラーによって、その進路を光学式ビューファインダ又は撮像素子に切り替えられる。
【０００３】
光学式ビューファインダでは、記録画像における被写体像と光学式ビューファインダに表示される被写体像との間でずれが発生せず、撮像操作を良好に行うことができる。
【０００４】
一方、電子ビューファインダでは、撮像素子で生成されたリアルタイムの画像を表示部に表示させる、いわゆるライブビューモードを実現できる。ライブビューモードでは、光学式ビューファインダのようにファインダに接眼する必要がないので、ハイアングルやローアングルでの撮像が容易になる。
【０００５】
ライブビューモードを備えるデジタル一眼レフカメラは、例えば、特許文献１に開示されている。
【特許文献１】特開２００１−２７２５９３号公報
【発明の開示】
【発明が解決しようとする課題】
【０００６】
しかしながら、従来のデジタル一眼レフカメラでは、ライブビューモードにおいて撮像を行うと、撮像期間と画像データの処理中はリアルタイムの画像を表示部に表示させることが困難である。
【０００７】
さらに、単一の撮像操作で複数の画像データを生成する、いわゆる連写モードを有するデジタル一眼レフカメラが存在する。連写モードは、光学式ビューファインダの使用時も電子ビューファインダを使用したライブビューモード時も利用可能であるが、特にライブビューモード時には、前記のようにリアルタイムの画像を表示部に表示させることができない期間が継続する。
【０００８】
連写モードでは、動きのある被写体を撮像することが多いので、連写モードでの撮像期間に被写体の画像を視認できないことは、デジタル一眼レフカメラの使い勝手を大きく損なうことになる。
【０００９】
本発明は、連写モードにおいて画像データが生成される毎に、生成された画像データ又はその画像データに所定の処理を施した画像データを表示部に表示させることで、使い勝手を向上したデジタルカメラを提供することを目的とする。
【課題を解決するための手段】
【００１０】
本発明にかかるデジタルカメラは、被写体像を光学式ビューファインダへと導くために撮像光学系の光路内に対して進退自在に配設される可動ミラーを有するデジタルカメラであって、前記可動ミラーが前記撮像光学系の光路内から退避したときに撮像光学系で形成された被写体像を撮像して画像データを生成する撮像素子と、生成された画像データ又はその画像データに所定の処理を施した画像データを表示する表示部と、生成された画像データ又はその画像データに所定の処理を施した画像データをリアルタイムで動画像として表示部に表示するよう制御するライブビューモードと、単一の撮像操作で複数の画像データを生成する連写モードと、を有する制御部と、を備え、制御部は、ライブビューモード時には、連写モードによって画像データが生成される毎に、生成された画像データ又はその画像データに所定の処理を施した画像データを表示部に表示するよう制御する。
【００１１】
これにより、ライブビューモード時の連写モードにおいても、画像データが生成される毎に生成された画像データ又はその画像データに所定の処理を施した画像データが表示部に表示されるため、被写体の動きを視認することができる。
【発明の効果】
【００１２】
上記の本発明によれば、可動ミラーを含むとともに被写体像を電子ビューファインダでライブビュー表示できるデジタルカメラの連写モードにおいて、その使い勝手を向上したデジタルカメラを提供できる。
【発明を実施するための最良の形態】
【００１３】
（実施の形態）
〔１．デジタルカメラの構成〕
以下、図１〜図６を参照して、本発明の実施の形態１にかかるカメラ１０の構成を説明する。
【００１４】
〔１−１．全体構成の概要〕
図１は、カメラ１０の概要を説明するための模式図である。カメラ１０は、カメラボディ１００とそれに着脱可能な交換レンズ２００とから構成される。
【００１５】
カメラボディ１００は、交換レンズ２００に含まれる光学系により集光された被写体像を撮像して、画像データとして記録する。カメラボディ１００は、ミラーボックス１２０を備える。ミラーボックス１２０（図２参照）は、被写体像をＣＭＯＳセンサ１３０又は接眼レンズ１３６のいずれかに選択的に入射させるために、交換レンズ２００に含まれる光学系からの光学的信号の光路を切り換える。ミラーボックス１２０は、可動ミラー１２１ａ、１２１ｂと、ミラー駆動部１２２と、シャッタ１２３と、シャッタ駆動部１２４と、焦点板１２５と、プリズム１２６とを含む構成である。
【００１６】
可動ミラー１２１ａは、被写体像を光学式ビューファインダへと導くために撮像光学系の光路内に対して進退自在に配設される。可動ミラー１２１ｂは、可動ミラー１２１ａとともに撮像光学系の光路内に対して進退自在に配設される。そして、可動ミラー１２１ｂは、交換レンズ２００に含まれる光学系から入力された光学的信号の一部を反射して、ＡＦセンサ１３２に入射させる。
【００１７】
可動ミラー１２１ａが撮像光学系の光路内に進入しているとき、交換レンズ２００に含まれる光学系から入力された光学的信号の一部は、焦点板１２５及びプリズム１２６を介して接眼レンズ１３６に入射される。また、可動ミラー１２１ａで反射された光学的信号は焦点板１２５で拡散される。そして、この拡散された光学的信号の一部はＡＥセンサ１３３に入射する。一方、可動ミラー１２１ａ及び１２１ｂが撮像光学系の光路内から退避しているときは、交換レンズ２００に含まれる光学系から入力された光学的信号は、ＣＭＯＳセンサ１３０に入射される。
【００１８】
ミラー駆動部１２２は、モータ、バネ等の機構部品から構成され、マイコン１１０の制御に基づいて可動ミラー１２１ａ、１２１ｂを駆動する。
【００１９】
シャッタ１２３は、交換レンズ２００からの光学的信号の遮断・通過を切り換える。シャッタ駆動部１２４は、モータ、バネ等の機構部品から構成され、マイコン１１０の制御により、シャッタ１２３を駆動する。なお、ミラー駆動部１２２に含まれるモータとシャッタ駆動部１２４に含まれるモータとは別のモータであってもよいし、１つのモータで兼用してもよい。
【００２０】
カメラボディ１００の背面には液晶モニタ１５０が配置される。液晶モニタ１５０は、ＣＭＯＳセンサ１３０で生成された画像データまたはその画像データに所定の処理を施した画像データを表示可能である。
【００２１】
交換レンズ２００に含まれる光学系は、対物レンズ２２０、ズームレンズ２３０、絞り２４０、手振れ補正ユニット２５０、およびフォーカスレンズ２６０を含む。ＣＰＵ２１０はこれらの光学系を制御する。ＣＰＵ２１０は、カメラボディ１００側のマイコン１１０と制御信号や光学系に関する情報を送受信可能である。
【００２２】
〔１−２．カメラボディの構成〕
図２は、カメラボディ１００の構成を示すブロック図である。図２に示すように、カメラボディ１００は、様々な部位を有し、それらをマイコン１１０が制御する構成である。但し、本実施の形態では１つのマイコン１１０がカメラボディ１００全体を制御するとして説明するが、複数の制御部によってカメラボディ１００を制御するよう構成しても構わない。
【００２３】
レンズマウント部１３５は、交換レンズ２００を着脱する部材である。レンズマウント部１３５は、交換レンズ２００と接続端子等を用いて電気的に接続可能であるとともに、係止部材等のメカニカルな部材によって機械的にも接続可能である。レンズマウント部１３５は、交換レンズ２００からの信号をマイコン１１０に出力できるとともに、マイコン１１０からの信号を交換レンズ２００に出力できる。レンズマウント部１３５は、中空構造となっている。そのため、交換レンズ２００に含まれる光学系から入射される光学的信号は、レンズマウント部１３５を通過してミラーボックス１２０に到達する。
【００２４】
ミラーボックス１２０は、レンズマウント部１３５を通過した光学的信号を、内部の状態に応じてＣＭＯＳセンサ１３０、接眼レンズ１３６、ＡＦセンサ１３２及びＡＥセンサ１３３に導く。ミラーボックスによる光学的信号の切り替えについては、「１−４．ミラーボックスの状態」の項で説明する。
【００２５】
ＣＭＯＳセンサ１３０は、ミラーボックス１２０を通って入射された光学的信号を電気的信号に変換し、画像データを生成する。生成した画像データは、Ａ／Ｄコンバータ１３１によってアナログ信号からデジタル信号に変換され、マイコン１１０に出力される。なお、生成した画像データをＣＭＯＳセンサ１３０からＡ／Ｄコンバータ１３１に出力する経路の途上やＡ／Ｄコンバータ１３１からマイコン１１０に出力する経路の途上で所定の画像処理を施すようにしてもよい。
【００２６】
接眼レンズ１３６は、ミラーボックス１２０を通って入射された光学的信号を通す。このとき、ミラーボックス１２０内では、図１に示すように、交換レンズ２００から入射された光学的信号を可動ミラー１２１ａで反射させ、焦点板１２５に被写体像を形成させる。そして、プリズム１２６は、この被写体像を反射し、接眼レンズ１３６に出射する。これにより、ユーザは、ミラーボックス１２０からの被写体像を視認できる。ここで、接眼レンズ１３６は、単数のレンズで構成してもよいし、複数のレンズからなるレンズ群で構成してもよい。また、接眼レンズ１３６は、固定的にカメラボディ１００に保持するようにしてもよく、視度調節等のため移動可能に保持するようにしてもよい。焦点板１２５、プリズム１２６、および接眼レンズ１３６を備えた光学式ビューファインダは、４：３のアスペクト比を有する構図の画像を表示するのに最適に設定されている。但し、光学式ビューファインダは、他のアスペクト比を有する構図の画像を表示するのに、最適に設定されていてもよい。例えば、光学式ビューファインダーは、１６：９のアスペクト比を有する構図の画像を表示するのに最適な構成でもよく、３：２のアスペクト比を有する構図の画像を表示するのに最適な構成でもよい。
【００２７】
保護材１３８は、ＣＭＯＳセンサ１３０の表面を保護する。保護材１３８をＣＭＯＳセンサ１３０の前面に配置することにより、ＣＭＯＳセンサ１３０の表面にほこり等の異物が付着するのを防ぐことができる。保護材１３８は、ガラスやプラスチック等の透明材料で構成できる。
【００２８】
超音波振動発生器１３４は、マイコン１１０からの信号に応じて起動し、超音波振動を発生する。超音波振動発生器１３４で発生した超音波振動は、保護材１３８に伝えられる。これにより、保護材１３８は振動し、保護材１３８に付着したほこり等の異物を振り落とすことができる。超音波振動発生器１３４は、例えば、保護材１３８に圧電素子を貼り付けることにより実現できる。この場合、保護材１３８に貼り付けた圧電素子に交流電流を通電する等により、圧電素子を振動させることができる。
【００２９】
ストロボ１３７は、マイコン１１０の指示に従って、発光する。ストロボ１３７は、カメラボディ１００に内蔵されていてもよく、カメラボディ１００に着脱可能な構成でもよい。着脱タイプのストロボであれば、カメラボディ１００にはホットシュー等のストロボ取り付け部を配する必要がある。
【００３０】
レリーズ釦１４１は、オートフォーカス動作や測光動作の起動についてユーザからの指示を受け付けるとともに、ＣＭＯＳセンサ１３０による記録用画像の撮像開始についてユーザからの指示を受け付ける。レリーズ釦１４１は、半押し操作と全押し操作を受け付けることができる。オートフォーカスモードにおいて、レリーズ釦１４１がユーザにより半押し操作されると、マイコン１１０は、ＡＦセンサ１３２からの信号に基づいて、交換レンズ２００に対してオートフォーカス動作をするように指示する。また、自動露光モードにおいて、レリーズ釦１４１がユーザにより半押し操作されると、マイコン１１０は、ＡＥセンサ１３３からの信号に基づいて、交換レンズ２００に対して測光動作をするように指示する。一方、レリーズ釦１４１がユーザにより全押し操作されると、マイコン１１０は、ミラーボックス１２０、ＣＭＯＳセンサ１３０等を制御して、記録用画像を撮像する。そして、マイコン１１０は、撮像した記録用画像について、必要に応じて、ＹＣ変換処理、解像度変換処理、圧縮処理等を施して記録用の画像データを生成する。マイコン１１０は、生成した記録用の画像データを、カードスロット１５３を介してメモリカード３００に記録する。レリーズ釦１４１が半押し操作に応じる機能及び全押し操作に応じる機能を有するようにするには、例えば、レリーズ釦１４１に２つのスイッチを内蔵するようにするとよい。この場合、一方のスイッチは半押し操作によってＯＮされ、他方のスイッチは全押し操作によってＯＮされるようにする。
【００３１】
操作部１４０は、ユーザからの各種の指示をマイコン１１０に伝達するための部材である。各種の操作部材を説明するために、カメラボディ１００の背面図を図３に示す。カメラボディ１００の背面には、メニュー釦１４０ａ、十字キー１４０ｂ、セット釦１４０ｃ、回転ダイアル１４０ｄ、ビューファインダ切替スイッチ１４０ｅ、フォーカスモード切替スイッチ１４０ｆ、ストロボ起動釦１４０ｈ、ＬＶプレビュー釦１４０ｊ、絞り込み釦１４０ｋ、ＡＶ釦１４０ｍ、および電源スイッチ１４２を備える。カメラボディ１００の上面には、手振れ補正モード切替釦１４０ｇ、およびレリーズ釦１４１が配置されている。
【００３２】
メニュー釦１４０ａは、液晶モニタ１５０にカメラ１０の設定情報を表示させ、ユーザによる設定変更を可能にするための釦である。十字キー１４０ｂは、液晶モニタ１５０に表示された各種設定や項目、画像等を選択するためのキーであり、例えば、カーソル等を移動させることができる。セット釦１４０ｃは、液晶モニタ１５０に表示された各種設定や項目、画像等を選択した後、決定するための釦である。回転ダイアル１４０ｄは、十字キー１４０ｂと同様に、液晶モニタ１５０に表示された各種設定や項目、画像等を選択するための操作部材であり、例えば、回転することにより、カーソル等を移動させることができる。ビューファインダ切替スイッチ１４０ｅは、撮像した画像を接眼レンズ１３６に表示させるか、液晶モニタ１５０に表示させるかを選択するためのスイッチである。フォーカスモード切替スイッチ１４０ｆは、フォーカスモードをマニュアルフォーカスモードとオートフォーカスモードのいずれに設定するかを選択するためのスイッチである。手振れ補正モード切替釦１４０ｇは、手振れ補正をするかどうか、また手振れ補正の制御モードはいずれのモードにするかを選択するためのスイッチである。絞り込み釦１４０ｋは、ライブビューモードにおいて、絞りを調節するための釦である。ＬＶプレビュー釦１４０ｊ（LV:Live View）は、ライブビューモードにおいて、絞りを調節するとともに液晶モニタ１５０に表示される画像の一部を拡大表示させるための釦である。ＡＶ釦１４０ｍは、ＯＶＦモード（OVF:Optical View Finder）において、絞りを調節するための釦である。
【００３３】
図２に戻って、液晶モニタ１５０は、マイコン１１０からの信号を受けて、画像や各種設定の情報を表示する。液晶モニタ１５０は、ＣＭＯＳセンサ１３０で生成された画像データ、またはその画像データに所定の処理を施した画像データを表示可能である。液晶モニタ１５０は、メモリカード３００に保持されている画像データを、必要に応じてマイコン１１０で伸張処理等所定の処理を施した後、表示可能である。液晶モニタ１５０は、図３に示すように、カメラボディ１００の背面に設けられている。液晶モニタ１５０は、カメラボディ１００に対して回転可能に設けられている。接点１５１は、液晶モニタ１５０の回転を検出する。液晶モニタ１５０は、４：３のアスペクト比の構図を有する画像を表示するのに最適である。但し、液晶モニタ１５０は、マイコン１１０の制御により、他のアスペクト比（例えば、３：２や１６：９）の構図を有する画像も表示可能である。
【００３４】
外部端子１５２は、外部装置に画像データや各種設定情報を出力するための端子である。外部端子１５２は、例えば、ＵＳＢ端子（Universal Serial Bus）やＩＥＥＥ１３９４規格に準拠したインターフェイスのための端子等である。また、外部端子１５２は、外部装置からの接続端子が接続されると、その旨をマイコン１１０に伝える。
【００３５】
電源コントローラ１４６は、電池ボックス１４３に収納された電池４００からの供給電力をマイコン１１０等カメラ１０内の部材に供給することについて制御する。電源コントローラ１４６は、電源スイッチ１４２がＯＮされると、電池４００からの供給電力をカメラ１０内の部材に供給し始める。また、電源コントローラ１４６は、スリープ機能を備え、カメラ１０が電源ＯＮのまま所定時間操作されない状態が続くと、カメラ１０内の一部の部材を除いて電源供給するのを停止する。また、電源コントローラ１４６は、電池蓋１４４の開閉を監視する接点１４５からの信号に基づいて、マイコン１１０に電池蓋１４４が開いたことを伝達する。電池蓋１４４は、電池ボックス１４３の開口部を開閉する部材である。電源コントローラ１４６は、図２ではマイコン１１０を通じてカメラ１０内の各部材に電力を供給する構成としているが、必要に応じて、電源コントローラ１４６から直接電力を供給する構成とすることができる。
【００３６】
三脚固定部１４７は、三脚（図示省略）をカメラボディ１００に固定するための部材であり、ネジ等で構成される。接点１４８は、三脚が三脚固定部１４７に固定されたかどうかを監視し、その結果をマイコン１１０に伝える。接点１４８は、スイッチ等で構成可能である。
【００３７】
カードスロット１５３は、メモリカード３００を装着するためのコネクタである。カードスロット１５３は、メモリカード３００を装着するメカニカルな構造だけでなく、メモリカード３００をコントロールする制御部及び／又はソフトウェアを含む構成としてもよい。
【００３８】
バッファ１１１は、マイコン１１０で信号処理を行う際に一時的に情報を保存するメモリである。バッファ１１１に一時的に記憶される情報は、主に画像データであるが、制御信号等を記憶するようにしてもよい。バッファ１１１は、ＤＲＡＭ（Dynamic Random Access Memory）、ＳＲＡＭ（Static Random Access Memory）、フラッシュメモリ、強誘電体メモリ等記憶可能な手段で構成することができる。また、画像の記憶に特化したメモリで構成することができる。
【００３９】
ＡＦ補助光発光部１５４（AF:Auto Focus）は、暗い中でオートフォーカス動作をするときの補助光を発光する部材である。ＡＦ補助光発光部１５４は、マイコン１１０の制御に基づいて発光する。ＡＦ補助光発光部１５４は、赤色ＬＥＤ（LED:Light-Emitting Diode）等を含む。
【００４０】
リモコン受信部１５５は、リモートコントローラ（図示省略）からの信号を受信して、受信した信号をマイコン１１０に伝える受信手段である。リモコン受信部１５５は、典型的には、リモートコントローラからの赤外光を受光する受光素子を含む。
【００４１】
〔１−３．交換レンズの構成〕
図４は、交換レンズ２００の構成を示すブロック図である。交換レンズ２００は、撮像光学系を有し、ＣＰＵ２１０によって、撮像光学系等を制御する構成である。
【００４２】
ＣＰＵ２１０は、ズームモータ２３１、絞りモータ２４１、手振れ補正ユニット２５０、およびフォーカスモータ２６１等のアクチュエータの動作を制御することによって撮像光学系を制御する。ＣＰＵ２１０は、撮像光学系やアクセサリ装着部２７２等の状態を示す情報を通信端子２７０を介して、カメラボディ１００に送信する。また、ＣＰＵ２１０は、カメラボディ１００から制御信号等を受信し、受信した制御信号等に基づいて撮像光学系等を制御する。
【００４３】
対物レンズ２２０は、最も被写体側に配置されたレンズである。対物レンズ２２０は、光軸方向に移動可能な構成にしてもよく、また固定された構成にしてもよい。
【００４４】
ズームレンズ２３０は、対物レンズ２２０よりも像面側に配置される。ズームレンズ２３０は、光軸方向に移動可能である。ズームレンズ２３０を移動させることにより、被写体像の倍率を変えることができる。ズームレンズ２３０は、ズームモータ２３１で駆動される。ズームモータ２３１は、ステッピングモータ、サーボモータで構成することができ、少なくともズームレンズ２３０を駆動可能なものであればよい。ＣＰＵ２１０は、ズームモータ２３１の状態又は別の部材の状態を監視して、ズームレンズ２３０の位置を監視する。
【００４５】
絞り２４０は、ズームレンズ２３１よりも像面側に配置される。絞り２４０は、光軸を中心とした開口部を有する。その開口部は、絞りモータ２４１及び絞りリング２４２によって、変更可能である。絞りモータ２４１は、絞りの開口サイズを変えるための機構と連動し、この機構を駆動することによって、絞りの開口サイズを変更できる。絞りリング２４２も同様に、絞りの開口サイズを変えるための機構と連動し、この機構を駆動することによって、絞りの開口サイズを変更できる。絞りモータ２４１は、ユーザによってマイコン１１０又はＣＰＵ２１０に電気的な制御信号が与えられ、この制御信号に基づいて駆動する。これに対して、絞りリング２４２は、ユーザからのメカニカルな操作を受け付け、この操作を絞り２４０に伝達する。また、絞りリング２４２が操作されたかどうかは、ＣＰＵ２１０で検出可能である。
【００４６】
手振れ補正ユニット２５０は、絞り２４０よりも像面側に配置される。手振れ補正ユニット２５０は、手振れ補正のための補正レンズ２５１およびこれを駆動するアクチュエータを含む。手振れ補正ユニット２５０に含まれるアクチュエータは、補正レンズ２５１を光軸と直交する面内で移動可能である。ジャイロセンサ２５２は、交換レンズ２００の角速度を計測する。図４では、便宜上ジャイロセンサ２５２として１つのブロックで記載しているが、交換レンズ２００は、２つのジャイロセンサ２５２を含む。２つのジャイロセンサ２５２のうち一方のジャイロセンサは、カメラ１０の鉛直軸を中心とする角速度を計測する。また、２つのジャイロセンサ２５２のうち他方のジャイロセンサは、光軸に垂直なカメラ１０の水平軸を中心とする角速度を計測する。ＣＰＵ２１０は、ジャイロセンサ２５２からの角速度情報に基づいて、交換レンズ２００の手振れ方向及び手振れ量を計測する。そして、ＣＰＵ２１０は、その手振れ量を相殺する方向に補正レンズ２５１を移動するようアクチュエータを制御する。これにより、交換レンズ２００の撮像光学系で形成された被写体像は、手振れが補正されたものとなる。
【００４７】
フォーカスレンズ２６０は、最も像面側に配置される。フォーカスモータ２６１は、フォーカスレンズ２６０を光軸方向に駆動する。これにより、被写体像のフォーカスを調整できる。
【００４８】
アクセサリ装着部２７２は、交換レンズ２００の先端に遮光フード等のアクセサリを装着する部材である。アクセサリ装着部２７２は、ネジやバヨネット等のメカニカルな機構で構成される。また、アクセサリ装着部２７２は、アクセサリが装着されたかどうかを検出するための検出器を含む。そして、アクセサリ装着部２７２は、アクセサリが装着されると、ＣＰＵ２１０にその旨を伝える。
【００４９】
〔１−４．ミラーボックスの状態〕
各動作状態におけるミラーボックス１２０内部の状態を、図１、図５及び図６を参照して説明する。
【００５０】
図１は、光学式ビューファインダを用いて被写体像を観察するモードにおけるミラーボックス１２０内部の状態を示す模式図である。本明細書では便宜上、この状態を状態Ａという。この状態Ａでは、可動ミラー１２１ａ、１２１ｂは、交換レンズ２００から入射された光学的信号の光路内に進入する。そのため、交換レンズ２００からの光学的信号は、可動ミラー１２１ａで、一部が反射し、残りの光学的信号は透過する。反射した光学的信号は、焦点板１２５、プリズム１２６、接眼レンズ１３６を通過してユーザの目に届く。また、可動ミラー１２１ａで反射された光学的信号は焦点板１２５で反射し、その一部がＡＥセンサ１３３に入射する。一方、可動ミラー１２１ａを透過した光学的信号の一部は、可動ミラー１２１ｂで反射され、ＡＦセンサ１３２に届く。また、この状態Ａでは、第１シャッタ１２３ａが閉じられている。そのため、交換レンズ２００からの光学的信号はＣＭＯＳセンサ１３０まで届かない。従って、状態Ａでは、光学式ビューファインダを用いて被写体像を観察すること、ＡＦセンサ１３２を用いてオートフォーカス動作をすること及びＡＥセンサ１３３を用いて測光動作をすることは可能であるが、液晶モニタ１５０を用いて被写体像を観察すること、ＣＭＯＳセンサ１３０で生成した画像データを記録すること、及びＣＭＯＳセンサ１３０で生成された画像データのコントラストを用いてオートフォーカス動作をすることはできない。
【００５１】
図５は、被写体像をＣＭＯＳセンサ１３０に入力するモードにおけるミラーボックス１２０内部の状態を示す模式図である。本明細書では便宜上、この状態を状態Ｂという。この状態Ｂは、可動ミラー１２１ａ、１２１ｂは、交換レンズ２００から入射された光学的信号の光路内から退避する。そのため、交換レンズ２００からの光学的信号は、焦点板１２５、プリズム１２６、接眼レンズ１３６を通過してユーザの目に届くことはなく、ＡＦセンサ１３２及びＡＥセンサ１３３に届くこともない。また、この状態Ｂでは、第１シャッタ１２３ａ及び第２シャッタ１２３ｂが開いている。そのため、交換レンズ２００からの光学的信号はＣＭＯＳセンサ１３０まで届く。従って、状態Ｂでは、状態Ａとは反対に、液晶モニタ１５０を用いて被写体像を観察すること、ＣＭＯＳセンサ１３０で生成した画像データを記録すること、及びＣＭＯＳセンサ１３０で生成された画像データのコントラストを用いてオートフォーカス動作をすることは可能であるが、光学式ビューファインダを用いて被写体像を観察すること、ＡＦセンサ１３２を用いてオートフォーカス動作をすること及びＡＥセンサ１３３を用いて測光動作をすることはできない。なお、可動ミラー１２１ａ、１２１ｂ及び第１シャッタ１２３ａは、バネ等の付勢手段により、状態Ａから状態Ｂに移行する方向に付勢されている。そのため、状態Ａから状態Ｂへは瞬時に移行できるので、露光を開始するのに好適である。
【００５２】
図６は、ＣＭＯＳセンサ１３０への被写体像の露光を終了した直後におけるミラーボックス１２０内部の状態を示す模式図である。本明細書では便宜上、この状態を状態Ｃという。この状態Ｃでは、可動ミラー１２１ａ、１２１ｂは、交換レンズ２００から入射された光学的信号の光路内から退避する。そのため、交換レンズ２００からの光学的信号は、焦点板１２５、プリズム１２６、接眼レンズ１３６を通過してユーザの目に届くことはなく、ＡＦセンサ１３２及びＡＥセンサ１３３に届くこともない。また、この状態Ｃでは、第１シャッタ１２３ａが開いている一方、第２シャッタ１２３ｂが閉じている。そのため、交換レンズ２００からの光学的信号はＣＭＯＳセンサ１３０まで届かない。従って、状態Ｃでは、液晶モニタ１５０を用いて被写体像を観察すること、ＣＭＯＳセンサ１３０で生成した画像データを記録すること、ＣＭＯＳセンサ１３０で生成された画像データのコントラストを用いてオートフォーカス動作をすること、光学式ビューファインダを用いて被写体像を観察すること、ＡＦセンサ１３２を用いてオートフォーカス動作すること、及びＡＥセンサ１３３を用いて測光動作をすることは、いずれもできない。第２シャッタ１２３ｂは、閉じる方向に付勢されているので、瞬時に状態Ｂから状態Ｃに移行させることができる。そのため、状態Ｃは、ＣＭＯＳセンサ１３０の露光を終了させるのに好適な状態である。
【００５３】
以上のように、状態Ａから状態Ｂへは直接移行できる。これに対して、状態Ｂから状態Ａへは、ミラーボックス１２０の機構の制約上、状態Ｃを介さなければ移行できない。但し、これは、ミラーボックス１２０の機構からくるテクニカルな問題なので、状態Ｃを介さずに、状態Ｂから状態Ａに直接移行できる機構を採用することとしてもよい。
【００５４】
〔１−５．本実施の形態の構成と本発明の構成との対応〕
焦点板１２５、プリズム１２６及び接眼レンズ１３６を含む構成は、本発明の光学式ビューファインダの一例である。対物レンズ２２０、ズームレンズ２３０、補正レンズ２５１及びフォーカスレンズ２６０を含む光学系は、本発明の撮像光学系の一例である。可動ミラー１２１ａ、１２１ｂは、本発明の可動ミラーの一例である。ＣＭＯＳセンサ１３０は本発明の撮像素子の一例である。液晶モニタ１５０は本発明の表示部の一例である。マイコン１１０は本発明の制御部の一例である。この場合、制御部としてマイコン１１０の他にＣＰＵ２１０を含んでもよい。メニュー釦１４０ａ、十字キー１４０ｂ、セット釦１４０ｃ、回転ダイアル１４０ｄ及びＣＰＵ２１０は、本発明のレビュー切替部の一例である。レビューとは、直前に撮影した画像をすぐに確認できる機能である。ビューファインダ切替スイッチ１４０ｅは本発明のビューファインダ切替部の一例である。なお、接眼レンズ１３６の近傍に接眼を検知するセンサを設けてもよい。この場合、接眼を検知すると光学式ビューファインダを用いて被写体像を観察するモードとし、接眼を検知しないとライブビューモードとすればよい。
【００５５】
〔２．デジタルカメラの動作〕
以上のように構成された本発明の実施の形態１にかかるカメラ１０の動作を、以下図７を参照して説明する。
【００５６】
〔２−１．リアルタイム画像の表示動作〕
交換レンズ２００によって形成される被写体像をリアルタイムに観察するための表示動作について説明する。この表示動作として、２つの動作が設定されている。１つ目は、光学式ビューファインダを用いた動作であり、２つ目は、液晶モニタ１５０を用いた動作である。これらの動作を以下それぞれ詳細に説明する。
【００５７】
なお、本明細書においては、リアルタイムに被写体像を液晶モニタ１５０に表示させる機能及び表示を「ライブビュー」という。また、そのようにライブビュー動作をさせるときのマイコン１１０の制御モードを「ライブビューモード」という。
【００５８】
ライブビューは、リアルタイムに被写体像を液晶モニタ１５０に表示させるものであればよく、液晶モニタ１５０に表示させている画像データを、同時にメモリカード３００等の記憶手段に記憶させても記憶させなくてもよい。
【００５９】
また、ライブビューを表示しているときは、交換レンズ２００からの光学的信号をＣＭＯＳセンサ１３０に到達させる必要があるため、ミラーボックス１２０の内部は図５に示す状態Ｂとする必要がある。しかし、マイコン１１０がライブビューモードに設定されていても、撮像動作やオートフォーカス動作、自動露光制御動作等の各状態に応じて、ミラーボックス１２０の内部を状態Ｂの他に状態Ａや状態Ｃにする必要があり、液晶モニタ１５０がライブビューを表示できない期間も生じる。
【００６０】
また、ライブビューは、上述したように、リアルタイムに被写体像を液晶モニタ１５０に表示させることであるが、リアルタイムとは厳密な意味を有するのではなく、ユーザが常識的にリアルタイムと感じられれば、実際の被写体の動作とは多少の時間遅れがあってもよい。液晶モニタ１５０は、通常は０．１秒程度の時間遅れでライブビュー表示をすると考えられるが（この時間はカメラ１０のハード等に依存して多少長くなったり短くなったりする）、１秒から５秒程度遅れる場合もリアルタイムでの被写体像表示として、ライブビュー表示の概念に含めてよい。
【００６１】
ユーザは、図３に示すビューファインダ切替スイッチ１４０ｅをスライドすることによって、ライブビューモードと光学式ビューファインダモード（以下、便宜上ＯＶＦモードという）とを切り替えることができる。
【００６２】
ユーザがビューファインダ切替スイッチ１４０ｅをＯＶＦモード側にスライドさせると、マイコン１１０はＯＶＦモードに設定される。すると、マイコン１１０は、ミラー駆動部１２２及びシャッタ駆動部１２４を制御して、ミラーボックス１２０の内部を図１に示す状態Ａにする。これにより、接眼レンズ１３６を通して、ユーザは被写体像をリアルタイムで観察できる。また、この状態Ａでは、上述したように、ＡＦセンサ１３２を用いたオートフォーカス動作、及びＡＥセンサ１３３を用いた測光動作が可能である。
【００６３】
ＯＶＦモードからユーザがビューファインダ切替スイッチ１４０ｅをライブビューモード側にスライドさせると、マイコン１１０はライブビューモードに設定される。すると、マイコン１１０は、ミラー駆動部１２２及びシャッタ駆動部１２４を制御して、ミラーボックス１２０の内部を図５に示す状態Ｂにする。これにより、液晶モニタ１５０を用いて、ユーザは被写体像をリアルタイムで観察できる。
【００６４】
〔２−２．記録用画像の撮像動作〕
記録用画像を撮像する際の動作を以下説明する。記録用画像を撮像するには、事前に、ユーザの意図するようにフォーカスを合わせる必要がある。フォーカスを合わせる方法としては、マニュアルフォーカス方式、シングルフォーカス方式、コンティニュアスフォーカス方式等が考えられる。
【００６５】
なお、フォーカスモード切替スイッチ１４０ｆを操作することによって、マニュアルフォーカスモードとオートフォーカスモードとを互いに切り替えることができる。また、メニュー釦１４０ａを押下して、メニュー画面を呼び出すことにより、オートフォーカスモードにおいて、シングルフォーカスモードとコンティニュアスフォーカスモードのいずれにするかを選択することができる。
【００６６】
ここでは、ライブビューモードでの撮像において、シングルフォーカスモードを使用する場合を例に説明する。
【００６７】
図７は、シングルフォーカスモードにおいて、液晶モニタ１５０を用いた撮像の際の動作を説明するためのフローチャートである。
【００６８】
ライブビューモードでの撮像の場合、ミラーボックス１２０の内部は、当初、図５に示す状態Ｂとなっている。ユーザは、撮像前に、液晶モニタ１５０を通して被写体像を確認しながら、フォーカスや構図を合わせる。マイコン１１０は、ユーザがフォーカスを合わせるためにレリーズ釦１４１を半押し操作するかどうかを監視する（Ｓ７０１）。ユーザがレリーズ釦１４１を半押しすると、マイコン１１０は、マイコン１１０内部のタイマーをスタートさせる（Ｓ７０２）。これと並行して、マイコン１１０は、ミラーボックス１２０の内部を状態Ｂから状態Ｃを経て状態Ａに移行させ（Ｓ７０３）、ＡＦセンサ１３２の測定結果に基づくオートフォーカス動作を開始し、その結果得られたフォーカス状態でロックする（Ｓ７０４）。Ｓ７０３でミラーボックス１２０の内部を状態Ａに移行させるのは、ＡＦセンサ１３２で測距するためである。
【００６９】
一旦フォーカスロックした後も、フォーカスリング２６２を用いたマニュアルフォーカス合わせは可能である（Ｓ７０５）。その間、マイコン１１０は、レリーズ釦１４１が全押し操作されるかどうかを監視する（Ｓ７０６）。
【００７０】
これと並行して、マイコン１１０は、レリーズ釦１４１が半押しされてから所定の時間が経過する前に全押し操作されるかどうかをも監視する（Ｓ７０７）。レリーズ釦１４１が半押しされてから所定の時間が経過する前に全押し操作されると、マイコン１１０はステップＳ７１２に移行して、直に撮像動作を開始する。一方、レリーズ釦１４１が全押し操作されないまま、半押しされてから所定の時間が経過すると、マイコン１１０はステップＳ７０８に移行する。
【００７１】
ステップＳ７０８において、マイコン１１０は、ミラーボックス１２０の内部を状態Ａから状態Ｂに移行させる。これにより、カメラ１０はフォーカスロックした状態で被写体像を液晶モニタ１５０に表示できる。そのため、ユーザは、フォーカスを好みの状態に保持したまま、液晶モニタ１５０の表示を見ながら好みの構図を決めることができる。
【００７２】
この状態でマイコン１１０は、レリーズ釦１４１が全押し操作されるかどうかを監視する（Ｓ７１０）。この間、ステップＳ７０４と同様に、フォーカスリング２６２を用いてマニュアルでフォーカス状態を変えることができる（Ｓ７０９）。
【００７３】
ステップＳ７０１〜ステップＳ７１０の間では、レリーズ釦１４１の半押し操作が解除されると、マイコン１１０は、フォーカスロックを解除し、再びオートフォーカス可能な状態に戻す。そのため、再度レリーズ釦１４１が半押し操作されると、新たなフォーカス状態でロックする。
【００７４】
マイコン１１０は、レリーズ釦１４１が全押し操作されたことを検知した場合、ミラー駆動部１２２及びシャッタ駆動部１２４を制御して、ミラーボックス１２０の内部を状態Ｂから状態Ｃを経て状態Ａに移行させる（Ｓ７１１）。このようにミラーボックス１２０の内部を一旦状態Ａにするのは、ＣＭＯＳセンサ１３０に入射される光学的信号を一旦シャッタ１２３により遮断して、ＣＭＯＳセンサ１３０に露光開始の準備をさせるためである。露光開始の準備としては、各画素における不要な電荷の除去等が挙げられる。
【００７５】
マイコン１１０は、ミラー駆動部１２２及びシャッタ駆動部１２４を制御して、ミラーボックス１２０の内部を状態Ａから状態Ｂに移行させる（Ｓ７１２）。この状態で、マイコン１１０は、ＣＭＯＳセンサ１３０に交換レンズ２００からの光学的信号を露光し、記録用の記録用画像を撮像させる（Ｓ７１３）。そして、マイコン１１０は、シャッタスピードに対応する時間が経過すると、第２シャッタ１２３ｂを閉じるようシャッタ駆動部１２４を制御し、露光を終了させる（状態Ｃ）。その後、マイコン１１０は、ミラーボックス１２０の内部を状態Ａに戻す（Ｓ７１４）。
【００７６】
露光が終了して、ミラーボックス１２０の内部が状態Ａになると（Ｓ７１４）、マイコン１１０は、ミラーボックス１２０の内部を再び状態Ｂに戻して、ライブビュー表示を再開させる（Ｓ７１５）。これと並行して、マイコン１１０は、画像処理及び記録用画像の記録を行う（Ｓ７１６、Ｓ７１７）。
【００７７】
すなわち、マイコン１１０は、ＣＭＯＳセンサ１３０で生成された画像データを受けて、バッファ１１１に一時的に保存する。このとき保存された画像データは、例えば、ＲＧＢ成分からなる画像データである。マイコン１１０は、バッファ１１１に保存された画像データにＹＣ変換処理、リサイズ処理、圧縮処理等の所定の画像処理を施して、記録用の画像データを生成する（Ｓ７１６）。マイコン１１０は、最終的には、例えば、Ｅｘｉｆ規格（Exif:Exchangeable image file format）に準拠した画像ファイルを生成する。マイコン１１０は、生成した画像ファイルを、カードスロット１５３を介して、メモリカード３００に記憶させる（Ｓ７１７）。
【００７８】
以上のように、レリーズ釦１４１を半押し操作するだけで、可動ミラー１２１がダウンして測距した後、ライブビューモードに戻るよう動作する。これにより、レリーズ釦１４１を半押し操作するという簡単な操作で、ＡＦセンサ１３２を用いたオートフォーカス動作からライブビュー表示までを容易に行うことができる。そのため、ユーザは、簡単な操作で、被写体にフォーカスを合わせた状態でのライブビュー表示による構図合わせを行うことができる。
【００７９】
また、ユーザは、フォーカス状態を決めてから液晶モニタ１５０を見ながら構図を変えたい場合は、レリーズ釦１４１を半押し操作してから所定時間が経過するまで待てばよい。一方、半押し操作してから直ぐに全押し操作した場合には、ライブビュー表示をすることなく、撮像を開始するので（Ｓ７０６においてＳ７０８〜Ｓ７１１をスキップしている）、半押し操作から撮像開始までの時間を短縮できる。可動ミラーを不必要にアップダウンさせることがないからである。そのため、ユーザは、シャッタタイミングを逃すことなく、好みの画像を撮像できる。
【００８０】
なお、オートフォーカス動作のとき（Ｓ７０４）と、撮像動作のとき（Ｓ７１３）は、ライブビューを表示できない。オートフォーカス動作のとき（Ｓ７０４）は、可動ミラー１２１がダウンしているためである。撮像動作のとき（Ｓ７１３）は、ＣＭＯＳセンサ１３０が露光中で画像データを出力するのが困難なためである。
【００８１】
ステップＳ７１６やステップＳ７１７では、ミラーボックス１２０内部は状態Ｂになっているため、ライブビュー表示可能である。しかし、ステップＳ７１６やステップＳ７１７において、マイコン１１０の制御能力の多くは画像処理や記録処理に割り当てられる。そのため、ステップＳ７１６やステップＳ７１７において、マイコン１１０には画像処理や記録処理以外に極力負担をかけないようにするのが好ましい。そこで、ステップＳ７１６やステップＳ７１７では、ライブビュー表示をしないようにする。これにより、マイコン１１０はライブビュー表示のために処理能力を割く必要がないので、画像処理や記録処理を迅速に行うことができる。ライブビュー表示をしない形態としては、例えば、液晶モニタ１５０をブラックアウト状態にしてもよい。また、全押し操作する前にバッファ１１１に記憶しておいたライブビュー画像を表示するようにしてもよい。また、カメラ１０の設定情報や動作状態を示す情報等を表示するようにしてもよい。
【００８２】
〔２−３．連写モードの撮像動作〕
本発明のレビュー切替部であるメニュー釦１４０ａ、十字キー１４０ｂ、セット釦１４０ｃ、および回転ダイアル１４０ｄを操作して連写モードを設定する。連写モードでは、レリーズ釦１４１が全押しされると、ステップＳ７１１〜ステップＳ７１７の動作が、あらかじめ設定された間隔で、あらかじめ設定された回数だけ行われる。連写モードは、ライブビューモードとＯＶＦモードのいずれでも設定可能であるが、本明細書では、ライブビューモードにおける連写モードについて述べる。
【００８３】
単一の撮像であれば、上述したようにステップＳ７１３〜ステップＳ７１７において、ライブビュー表示をしないようにしてもよい。しかし、単一の撮像操作で複数の画像データを生成する連写モードでは、リアルタイムの画像を表示部に表示させることができない期間が継続する。連写モードでは、動きのある被写体を撮像することが多いので、連写モードでの撮像期間に被写体の画像を視認できないことは、デジタル一眼レフカメラの使い勝手を大きく損なうことになる。
【００８４】
そこで、ステップＳ７１６において、撮像が完了する毎に、バッファ１１１に一時的に保存された画像データから表示用の画像データを生成し、液晶モニタ１５０に表示する。これによって、リアルタイムの画像ではないが、あらかじめ設定された間隔で液晶モニタ１５０に表示された画像が更新されるので、被写体の画像を視認することができる。
【００８５】
〔３．その他の実施の形態〕
〔３−１．レビュー切替部との関係〕
本発明のレビュー切替部であるメニュー釦１４０ａ、十字キー１４０ｂ、セット釦１４０ｃ、回転ダイアル１４０ｄによって、生成された画像データ又はその画像データに所定の処理を施した画像データを表示しないよう設定されていても、ライブビューモード時には、その設定に関わらず、連写モードによって画像データが生成される毎に、生成された画像データ又はその画像データに所定の処理を施した画像データを液晶モニタ１５０に表示するようにしてもよい。
【００８６】
レビュー切替部によって、生成された画像データ又はその画像データに所定の処理を施した画像データを表示しないよう設定されていたとしても、連写モードにおいては被写体に動きがあることが通例なので、生成された画像データ又はその画像データに所定の処理を施した画像データを液晶モニタ１５０に表示し、被写体の動きを視認することができるようにすることは、カメラの使い勝手を向上させるので、好ましい。
【００８７】
〔３−２．可動ミラーとの関係〕
実施の形態１にかかるカメラ１０では、ステップＳ７１１〜ステップＳ７１７の動作が、あらかじめ設定された間隔で、あらかじめ設定された回数だけ行われるので、可動ミラー１２１ａ、１２１ｂは、あらかじめ設定された回数だけ撮像光学系の光路内への進退を繰り返す。この場合、可動ミラー１２１ａ、１２１ｂが撮像光学系の光路内へ進入するとオートフォーカス動作ができるので、連写モードによって画像データが生成される前毎に、オートフォーカス動作をするよう制御してもよい。
【００８８】
被写体の動きによって、カメラ１０と被写体の距離が変わるようなときでも、連写モードによって画像データが生成される前毎に、オートフォーカス動作をするよう制御すれば、常にフォーカスの合った画像を得ることができる。また、ミラー駆動部１２２とシャッタ駆動部１２４が常に連動するので、これらの駆動部の一部を共用することで、カメラの小型化・低価格化を図ることができる。
【００８９】
一方、被写体の動きによって、カメラ１０と被写体の距離が変わらないようなときは、連写モードによって画像データが生成される期間中、可動ミラー１２１ａ、１２１ｂを撮像光学系の光路内から退避させるよう制御してもよい。可動ミラー１２１ａ、１２１ｂを駆動する時間が不要になるので、迅速に連写を行うことができる。
【００９０】
〔３−３．ビューファインダ切替部との関係〕
ビューファインダ切替スイッチ１４０ｅによって、光学式ビューファインダを使用するよう設定されているときは、連写モードによって画像データが生成されても、生成された画像データ又はその画像データに所定の処理を施した画像データを液晶モニタ１５０に表示しないよう制御してもよい。
【００９１】
接眼レンズ１３６に接眼して光学式ビューファインダを使用している場合は、可動ミラー１２１ａ、１２１ｂが撮像光学系の光路内に進入したときに、被写体を視認することができる。このとき、接眼レンズ１３６の近傍で液晶モニタ１５０が表示のために発光すると、光学式ビューファインダでの被写体の視認の妨げとなるので、液晶モニタ１５０に生成された画像データ又はその画像データに所定の処理を施した画像データを表示しないよう制御するのが好ましい。
【００９２】
なお、ビューファインダ切替スイッチ１４０ｅによって、光学式ビューファインダを使用するよう設定されているときは、連写モードによって生成された最後の画像データ又はその画像データに所定の処理を施した画像データを液晶モニタ１５０に表示し、ビューファインダ切替スイッチ１４０ｅによって、ライブビューモードを使用するように設定されているときは、連写モードによって画像データが生成される毎に、生成された画像データ又はその画像データに所定の処理を施した画像データを液晶モニタ１５０に表示するよう制御してもよい。
【００９３】
光学式ビューファインダを使用しているとしても、連写モードが終了した後に、連写モードによって生成された最後の画像データ又はその画像データに所定の処理を施した画像データを液晶モニタ１５０で視認することができるので、カメラの使い勝手を向上することができる。
【産業上の利用可能性】
【００９４】
本発明は、連写モードにおいて画像データが生成される毎に、生成された画像データ又はその画像データに所定の処理を施した画像データを表示部に表示させることができるので、可動ミラーを含むとともに被写体像を電子ビューファインダで観察できるデジタルカメラに適用して有用である。
【図面の簡単な説明】
【００９５】
【図１】本発明の実施の形態にかかるカメラの概要を説明するための模式図
【図２】本発明の実施の形態にかかるカメラボディの構成を示すブロック図
【図３】本発明の実施の形態にかかるカメラボディの背面図
【図４】本発明の実施の形態にかかる交換レンズの構成を示すブロック図
【図５】本発明の実施の形態にかかるカメラのミラーボックスの内部が状態Ｂのときの模式図
【図６】本発明の実施の形態にかかるカメラのミラーボックスの内部が状態Ｃのときの模式図
【図７】シングルフォーカスモードにおいて、液晶モニタ１５０を用いた撮像の際の動作を説明するためのフローチャート
【符号の説明】
【００９６】
１１０  マイコン
１３０  ＣＭＯＳセンサ
１５０  液晶モニタ
２００  交換レンズ
【図１】
2008028997.tif 000003
【図２】
2008028997.tif 000004
【図３】
2008028997.tif 000005
【図４】
2008028997.tif 000006
【図５】
2008028997.tif 000007
【図６】
2008028997.tif 000008
【図７】
2008028997.tif 000009